(57)【要約】【課題】  レンズホルダを小型、薄型化しても、複数の弾性支持部材に設けたそれぞれの端子へコイル給電部を確実に接続することができるヘッド装置およびその製造方法を提供すること。【解決手段】  光ヘッド装置において、延設部６６、７６、８６の各先端側は、埋入位置からレンズホルダ２内に埋入し、レンズホルダ２内に埋設された埋設部６３、７３、８３を介してレンズホルダ２外に各コイル接続用端子６２、７２、８２として突出形成されている。さらに、このコイル接続用端子６２、７２、８２はそれぞれ、延設部６６、７６、８６の延設方向に離間して配設されている。【選択図】    図２
2006209921.tif 000002
【特許請求の範囲】
【請求項１】
トラッキング方向を左右方向としたとき、少なくとも、光源からの出射光を光記録媒体に収束させる対物レンズを保持するレンズホルダと、該レンズホルダをフォーカシング方向、トラッキング方向、またはチルト方向に駆動するためのコイル給電線を兼ねた左右一対の第１および第２の弾性支持部材と、該第１および第２の弾性支持部材を介して前記レンズホルダを支持する固定側部材とを有する光ヘッド装置において、
前記レンズホルダは樹脂成形品であり、
前記第１および第２の弾性支持部材は共に、基端側が前記固定側部材に支持され該基端側から前記レンズホルダに向かって同方向に延設された延設部を有する金属板により構成されるとともに、その先端側が前記レンズホルダに埋め込まれて当該レンズホルダに連結され、
前記第１および第２の弾性支持部材は、前記レンズホルダ外に突出して形成されたフォーカシング方向、トラッキング方向、またはチルト方向に駆動するためのコイルのコイル給電部が導電接続される端子を有し、該端子は、それぞれ前記延設部の延設方向に離間して配設されていることを特徴とする光ヘッド装置。
【請求項２】
請求項１において、前記第１および第２の弾性支持部材の先端側は、前記レンズホルダに埋め込まれた埋設部を有し、該埋設部には、前記延設部が前記レンズホルダ外から前記レンズホルダ内に埋入した埋入位置とは異なる位置において前記レンズホルダ外に突出した突出部を有し、該突出部に前記端子が形成されていることを特徴とする光ヘッド装置。
【請求項３】
請求項２において、前記第１および第２の弾性支持部材の前記埋入位置は、フォーカシング方向に略重合して配設されていることを特徴とする光ヘッド装置。
【請求項４】
請求項２または３において、前記端子は前記埋入位置に対して、前記延設部の延設方向における前記固定側部材の反対側に配設されていることを特徴とする光ヘッド装置。
【請求項５】
請求項１ないし４のいずれかにおいて、前記レンズホルダの左右両側には、前記第１および第２の弾性支持部材の延設方向と同方向に延設された延設部を有するとともにフォーカシング方向、トラッキング方向、およびチルト方向のうち、当該レンズホルダを他の１方向に駆動するためのコイル給電線を兼ねた左右一対の第３の弾性支持部材を有し、該第３の弾性支持部材は、基端側が前記固定側部材に支持された金属板により構成されているとともに、先端側が前記レンズホルダに埋め込まれて当該レンズホルダに連結されていることを特徴とする光ヘッド装置。
【請求項６】
請求項５に規定する光ヘッド装置の製造方法において、前記レンズホルダを樹脂成形する際、前記第１の弾性支持部材を構成する金属板、前記第２の弾性支持部材を構成する金属板、および前記第３の弾性支持部材を構成する金属板をフォーカシング方向にこの順番で重ねた状態でインサート成形するとともに、前記第２の弾性支持部材の端子を他の２つの弾性支持部材の端部より前記延設部の延設方向において、前記固定側部材の反対側に配設させ、前記第２の弾性支持部材の端子を金型で挟持した状態でインサート成形したことを特徴とする光ヘッド装置の製造方法。
【発明の詳細な説明】
【技術分野】
【０００１】
本発明は、ＣＤやＤＶＤなどの光記録ディスクの再生等に用いられる光ヘッド装置に関するものである。
【背景技術】
【０００２】
ＣＤやＤＶＤなどの光記録ディスクの再生等に用いられる光ヘッド装置として、近年、ノート型のパーソナルコンピュータなどに搭載可能なように小型かつ薄型のものが求められており、このような要求に対応するために、レンズホルダを樹脂成形により、全体として小型かつ薄型にするとともにレンズホルダの両側から板ばねを介して樹脂製の固定部に駆動可能に支持されている。また、板ばねは、レンズホルダおよび固定部にインサート成形により一体化されている（例えば、特許文献１参照）。
【特許文献１】特開２００１−９８４５号公報
【発明の開示】
【発明が解決しようとする課題】
【０００３】
このような光ヘッド装置において、弾性支持部材にはコイルのコイル給電部が直接絡げられてハンダを用いて導電接続される端子が形成されており、全ての端子がフォーカシング方向に重合して配設されている。その結果、レンズホルダを小型化、薄型化すると、端子間の隙間が狭まるためコイル給電部を端子に絡げる際、誤って他の端子に接触し断線するという問題がある。また、ハンダ付け作業の際、誤って他の端子に接触してハンダが付着しショートするという問題がある。
【０００４】
以上の問題点に鑑みて、本発明の課題は、レンズホルダを小型、薄型化しても、複数の弾性支持部材に設けたそれぞれの端子へコイル給電部を確実に接続することができるヘッド装置およびその製造方法を提供することにある。
【課題を解決するための手段】
【０００５】
上記課題を解決するために、本発明では、トラッキング方向を左右方向としたとき、少なくとも、光源からの出射光を光記録媒体に収束させる対物レンズを保持するレンズホルダと、該レンズホルダをフォーカシング方向、トラッキング方向、またはチルト方向に駆動するためのコイル給電線を兼ねた左右一対の第１および第２の弾性支持部材と、該第１および第２の弾性支持部材を介して前記レンズホルダを支持する固定側部材とを有する光ヘッド装置において、前記レンズホルダは樹脂成形品であり、前記第１および第２の弾性支持部材は共に、基端側が前記固定側部材に支持され該基端側から前記レンズホルダに向かって同方向に延設された延設部を有する金属板により構成されるとともに、その先端側が前記レンズホルダに埋め込まれて当該レンズホルダに連結され、前記第１および第２の弾性支持部材は、前記レンズホルダ外に突出して形成されたフォーカシング方向、トラッキング方向、またはチルト方向に駆動するためのコイルのコイル給電部が導電接続される端子を有し、該端子は、それぞれ前記延設部の延設方向に離間して配設されていることを特徴とする。
【０００６】
本発明では、前記第１および第２の弾性支持部材の先端側は、前記レンズホルダに埋め込まれた埋設部を有し、該埋設部には、前記延設部が前記レンズホルダ外から前記レンズホルダ内に埋入した埋入位置とは異なる位置において前記レンズホルダ外に突出した突出部を有し、該突出部に前記端子が形成されていることが好ましい。このように構成すると、端子と延設部とが埋設部によって隔絶されるので、コイル給電部を絡げられる際の引っ張り力が端子へかかっても埋設部によって緩衝される。故に、端子の応力が延設部側へは一切影響しないため、レンズホルダを適正に駆動させることができる。
【０００７】
本発明において、前記第１および第２の弾性支持部材の前記埋入位置は、フォーカシング方向に略重合して配設されていることが好ましい。このように構成すると、第１および第２の弾性支持部材の延設部において、一方の端部である固定側部材への埋入位置をフォーカシング方向に重合して配設すれば、延設部の長さを等しく構成することができる。故に、双方の延設部の長さが異なることによる期待しない挙動が発生せず、レンズホルダを適正に駆動させることができる。さらに、第１および第２の弾性支持部材の延設部のバネ定数を一致させることも容易になるので、双方のバネ定数を一致させることによりレンズホルダをさらに安定的に駆動することができる。
【０００８】
本発明において、前記端子は前記埋入位置に対して、前記延設部の延設方向における前記固定側部材の反対側に配設されているが好ましい。このように構成すると、コイル給電部を端子に絡げる際、誤って延設部に接触したり、ハンダ付け作業の際、ハンダごてが誤って延設部に接触したりすることがないので、コイルの断線、延設部のショート、または延設部の変形等を確実に防止することができる。
【０００９】
本発明において、前記レンズホルダの左右両側には、前記第１および第２の弾性支持部材の延設方向と同方向に延設された延設部を有するとともにフォーカシング方向、トラッキング方向、およびチルト方向のうち、当該レンズホルダを他の１方向に駆動するためのコイル給電線を兼ねた左右一対の第３の弾性支持部材を有し、該第３の弾性支持部材は、基端側が前記固定側部材に支持された金属板により構成されているとともに、先端側が前記レンズホルダに埋め込まれて当該レンズホルダに連結されている構成を採用することができる。
【００１０】
この場合、前記レンズホルダを樹脂成形する際、前記第１の弾性支持部材を構成する金属板、前記第２の弾性支持部材を構成する金属板、および前記第３の弾性支持部材を構成する金属板をフォーカシング方向にこの順番で重ねた状態でインサート成形するとともに、前記第２の弾性支持部材の端子を他の２つの弾性支持部材の端部より前記延設部の延設方向において、前記固定側部材の反対側に配設させ、前記第２の弾性支持部材の端子を金型で挟持した状態でインサート成形することが好ましい。このように構成すると、金型によって挟持される第２の弾性支持部材の端子の上下に第１および第２の弾性支持部材が配設されていないので、第２の弾性支持部材の端子を金型により無理なく支持することができる。しかも面積の大きい端子を金型により支持することができるので、金型により第２の弾性支持部材を確実に支持することができる。
【発明の効果】
【００１１】
本発明の光ヘッド装置では、第１および第２の弾性支持部材は、その先端側がレンズホルダに埋め込まれるとともに、このレンズホルダからレンズホルダ外に突出してコイルのコイル給電部が導電接続される端子を有し、それぞれの端子が、第１および第２の弾性支持部材の延設方向に離間して配設されている。このため、レンズホルダを小型、薄型化しても、コイル給電部を端子に絡げる際、他の端子に誤って接触し断線したり、ハンダ付け作業の際、他の端子に誤って接触しハンダが付着してショートすることを防止するだけの距離を第１および第２の弾性支持部材の延設方向へ確保することができる。故に、第１および第２の弾性支持部材に設けたそれぞれの端子へコイル給電部を確実に接続することができる。
【発明を実施するための最良の形態】
【００１２】
以下に、図面を参照して、本発明を適用した光ヘッド装置を説明する。なお、以下の説明では、第１、第２および第３の弾性支持部材をそれぞれチルト駆動用、フォーカシング駆動用、およびトラッキング駆動用の弾性支持部材とし、レンズホルダのトラッキング駆動方向を左右方向として説明する。
【００１３】
（全体構成）
図１（ａ）、（ｂ）は、本発明を適用した光ヘッド装置の平面図、および右側面図である。図２（ａ）、（ｂ）は、本発明を適用した光ヘッド装置を斜め上方からみた斜視図、および斜め下方からみた斜視図である。図３は、本発明を適用した光ヘッド装置のレンズホルダ２に形成したコイル係合突起の説明図である。
【００１４】
図１（ａ）、（ｂ）および図２（ａ）、（ｂ）に示す光ヘッド装置１は、ＣＤやＤＶＤなどの光記録ディスクの再生等に用いられるものであり、この光ヘッド装置１では、光源からの出射光を光記録媒体に収束させる対物レンズ２０を保持した樹脂製のレンズホルダ２を弾性支持部材６１、７１、８１で支持したリーフサスペンション方式が採用されている。
【００１５】
本形態の光ヘッド装置１では、対物レンズ２０を保持するレンズホルダ２と、固定側部材５とが対向配置されており、レンズホルダ２の側に搭載された駆動コイル６、７、８と、ベースとしてのヨーク４の側に直接、あるいは間接的に搭載されたマグネット１６、１７、１８とによって、レンズホルダ２をフォーカシング方向、トラッキング方向、およびチルト方向に駆動するための磁気駆動回路が構成されている。すなわち、レンズホルダ２には、固定側部材５の側から先端側に向かって、チルト駆動用のコイル６、トラッキング駆動用のコイル８、フォーカシング駆動用のコイル７がこの順に配置されている。
【００１６】
これらのコイルのうち、トラッキング駆動用のコイル８は、レンズホルダ２の幅方向における中央位置に形成された第１の開口部２１に配置され、フォーカシング駆動用のコイルは、第１の開口部２１に対して対物レンズ２０が搭載されている側で隣接する第２の開口部２２の内側に配置されている。また、チルト駆動用のコイル６は、レンズホルダ２において、固定側部材５と対向する位置に配置されている。従って、固定側部材５においてレンズホルダ２と対向する位置にチルト駆動用のマグネット１６が配置され、レンズホルダ２の第１の開口部２１の内側にトラッキング駆動用のマグネット１８が配置され、レンズホルダ２の第２の開口部２２の内側にフォーカシング駆動用のマグネット１７が配置されている。なお、ヨーク４は、レンズホルダ２の第１の開口部２１を貫通してレンズホルダ２を覆う上面部４１を備えている。
【００１７】
レンズホルダ２と固定側部材５との間には、レンズホルダ２をチルト方向に駆動するためのコイル給電線を兼ねた左右一対のチルト駆動用の弾性支持部材６１、レンズホルダ２をフォーカシング方向に駆動するためのコイル給電線を兼ねた左右一対のフォーカシング駆動用の弾性支持部材７１と、レンズホルダをトラッキング方向に駆動するためのコイル給電線を兼ねた左右一対のトラッキング駆動用の弾性支持部材８１とが配置されている。
【００１８】
チルト駆動用の弾性支持部材６１、フォーカシング駆動用の弾性支持部材７１、およびトラッキング駆動用の弾性支持部材８１は、基端側が固定側部材５に支持され、この基端側からレンズホルダ２に向かって同方向に延設された延設部６６、７６、８６を有している。これら延設部６６、７６、８６は上段から下段に向けてこの順に多段に配置され、かつ、平面的には重なった位置に配置されている。また、延設部６６、７６、８６の先端側はいずれも、レンズホルダ２の左右側面に埋め込まれてレンズホルダに連結されている。なお、固定側部材５には、チルト駆動用の弾性支持部材６１、フォーカシング駆動用の弾性支持部材７１、およびトラッキング駆動用の弾性支持部材８１に対するゲルポット５０が配置されている。
【００１９】
このように構成した光ヘッド装置１のレンズホルダ２や弾性支持部材６１、７１、８１の詳細構成については、光ヘッド装置１の製造方法を説明しながら後述するが、レンズホルダ２および固定側部材５はいずれも、同一の樹脂材料を用いた樹脂成形品から構成されている。
【００２０】
また、チルト駆動用の弾性支持部材６１、フォーカシング駆動用の弾性支持部材７１、およびトラッキング駆動用の弾性支持部材８１はいずれも、同一の材料からなる金属板から構成されている。また、チルト駆動用の弾性支持部材６１、フォーカシング駆動用の弾性支持部材７１、およびトラッキング駆動用の弾性支持部材８１はいずれも、図４（ａ）、（ｂ）、（ｃ）を参照して後述する金属板６０、７０、８０をインサート成形したものであり、チルト駆動用の弾性支持部材６１、フォーカシング駆動用の弾性支持部材７１、およびトラッキング駆動用の弾性支持部材８１の各延設部６６、７６、８６の先端側は、レンズホルダ２においてこの延設部６６、７６、８６の延設方向方向における略中央位置で埋入され、各基端側は固定側部材５においてレンズホルダ２が位置する側の端面に埋入されている。
【００２１】
具体的には、延設部６６、７６、８６の各先端側のレンズホルダ２に対する埋入位置がフォーカシング方向に重合して配設されるとともに、延設部６６、７６、８６の各基端側の固定側部材５への埋入位置もフォーカシング方向に略重合して配設されている。そのため、延設部６６、７６、８６の長さが等しく構成されている。
【００２２】
本形態のレンズホルダ２では、延設部６６、７６、８６の各先端側がレンズホルダ２に埋入する埋入位置とは異なる位置から、チルト駆動用のコイル端部が接続されたコイル接続用端子６２と、フォーカシング駆動用のコイル端部が接続されたコイル接続用端子７２と、トラッキング駆動用のコイル端部が接続されたコイル接続用端子８２とが突出している。具体的には、各コイル接続用端子６２、７２、８２は、延設部６６、７６、８６の各先端側がレンズホルダ２内に埋入し、レンズホルダ２内に埋設された埋設部６３、７３、８３を介して埋入位置とは異なる位置からレンズホルダ２外に突出した突出部に形成されている。このコイル接続用端子６２、７２、８２はそれぞれ、延設部６６、７６、８６の延設方向に離間して配設されている。
【００２３】
なお、コイル接続用端子７２およびコイル接続用端子８２は、それぞれの延設部７６、８６のレンズホルダ２に埋入する埋入位置に対して、延設部６６、７６、８６の延設方向における前記固定側部材５の反対側に配設されている。
【００２４】
従って、本形態では、これらのコイル接続用端子６２、７２、８２も、図４（ａ）、（ｂ）、（ｃ）を参照して後述する金属板６０、７０、８０の一部によって構成され、コイル接続用端子６２、７２、８２と弾性支持部材６１、７１、８１とは一体に構成されている。なお、各コイル接続用端子６２、７２、８２において、コイル端部は、各コイル接続用端子６２、７２、８２に巻回された状態でハンダ付けされている。
【００２５】
ここで、フォーカシング駆動用のコイル７、およびトラッキング駆動用のコイル８は、延設部７６、８６の各先端側がレンズホルダ２に埋入する埋入位置に近い位置に配置されているが、チルト駆動用のコイル６は、延設部６６の先端側がレンズホルダ２に埋入する埋入位置から遠い位置（固定側部材５が位置する方）に配置されており、本形態では、コイル接続用端子６２が、チルト駆動用のコイル６に近い位置（固定側部材５が位置する方）に配置されている。それ故、チルト駆動用のコイル６についても、コイル端部の引き回し作業を効率よく行うことができる。
【００２６】
また、レンズホルダ２の上面には、チルト駆動用のコイル６の端部の途中位置を掛けるコイル係合突起２５が左右に高さが約０．３ｍｍ程度のピンとして形成されている。このため、コイル端部が途中で弛むことがない。また、コイル端部をコイル係合突起２５に、チルト駆動用のコイル６の巻回方向（矢印Ｃで示す）に対応させて、図３に示すように巻回にしてハンダ付けすれば、コイル端部には引っ張り力が作用するため、コイル端部が弛むことを確実に防止することができる。
【００２７】
（光ヘッド装置の製造方法）
図４（ａ）、（ｂ）、（ｃ）は、本形態の光ヘッド装置の製造方法においてインサート成形する前の金属板を構成を示す平面図であり、図４（ａ）、（ｂ）、（ｃ）はそれぞれ、チルト駆動用の弾性支持部材を形成するための金属板、フォーカシング駆動用の弾性支持部材を形成するための金属板、およびトラッキング駆動用の弾性支持部材を形成するための金属板の平面図である。
【００２８】
ここで、図４（ａ）に示す金属板６０には、矩形枠部分６５から内側に向かって計４つの連結部６９が延びており、それらの先端側には、延設部６６と、この延設部６６の先端側から内側に屈曲した後、基端側に向けて延設部６６と平行に長く延びた埋設部６３と、この埋設部６３の先端部で外側に屈曲したコイル接続用端子６２が構成されている。図４（ａ）において、点線で示す部分がインサート成形によりレンズホルダ２および固定側部材５が形成される樹脂部分であり、インサート成形した際、矩形枠部分６５、連結部分６９、延設部６６およびコイル接続用端子６２がレンズホルダ２および固定側部材５から露出する。従って、連結部分６９で余剰な部分を切除すると、レンズホルダ２および固定側部材５から延設部６とコイル接続用端子６２とが露出した状態で残る。これに対して、埋設部６３は、延設部６６と平行に長く延びた状態でレンズホルダ２に左右対称に埋め込まれ、補強板としてレンズホルダ２の剛性を高めるのに寄与する。
【００２９】
また、図４（ａ）に示す金属板６０では、埋設部６３同士を連結する細幅の連結部分６４が形成されている。このため、埋設部６３は、細く延びているが、連結部分６４で補強されているので、インサート成形時、変形することがない。なお、レンズホルダ２を樹脂成形すると、幅方向における中央位置には第１の開口部２１が形成され、この第１の開口部２１の内側で連結部分６４が露出する。従って、インサート成形後、連結部分６４を切除すれば、図１（ａ）および図３に示すように、延設部６６および埋設部６３を左右で分離できる。この状態において、第１の開口部２１の内周面では、連結部分６４の切断面（金属板６０の一部）が露出している状態となる。
【００３０】
図４（ｂ）に示す金属板７０には、矩形枠部分７５から内側に向かって計４つの連結部７９が延びており、その先端側には、延設部７６と、この延設部７６の先端側から内側に屈曲した後、さらに先端側に向けて延びた埋設部７３と、この埋設部７３の先端部で外側に屈曲したコイル接続用端子７２を構成する部分と、延設部７６の先端側から内側に屈曲した後、基端側に向けて短く延びた部分とが構成されている。図４（ｂ）においても、点線で示す部分がインサート成形によりレンズホルダ２および固定側部材５が形成される樹脂部分であり、インサート成形した際、矩形枠部分７５、連結部分７９、延設部７６およびコイル接続用端子７２がレンズホルダ２および固定側部材５から露出する。従って、連結部分７９で余剰な部分を切除すると、レンズホルダ２および固定側部材５から延設部７６とコイル接続用端子７２とが露出した状態で残る。これに対して、埋設部７３は、レンズホルダ２に埋め込まれ、補強板としてレンズホルダの剛性を高めるのに寄与する。
【００３１】
図４（ｃ）に示す金属板８０には、矩形枠部分８５から内側に向かって計４つの連結部８９が延びており、その先端側には、延設部８６と、この延設部８６の先端側から内側に屈曲した後、さらに先端側に向けて延びた埋設部８３と、この埋設部８３の先端部で外側に屈曲したてコイル接続用端子８２を構成する部分とが構成されている。図４（ｃ）においても、点線で示す部分がインサート成形によりレンズホルダ２および固定側部材５が形成される樹脂部分であり、インサート成形した際、矩形枠部分８５、連結部分８９、延設部８６およびコイル接続用端子８２がレンズホルダ２および固定側部材５から露出する。従って、連結部分８９で余剰な部分を切除すると、レンズホルダ２および固定側部材５から延設部８６とコイル接続用端子８２とが露出した状態で残る。これに対して、埋設部８３は、レンズホルダ２に埋め込まれ、補強板として短くなるが、レンズホルダの剛性を高めるのに寄与する。
【００３２】
なお、本形態の光ヘッド装置を製造するにあたっては、レンズホルダ２および固定側部材５を樹脂成形する際、図４（ａ）、（ｂ）、（ｃ）に示すリードフレーム状の金属板６０、７０、８０を三枚所定の隙間を介して重ねた状態でインサート成形を行う。特に、金属板７０に形成されたコイル接続用端子７２は、図１（ｂ）に示すように、金属板６０、８０に形成された弾性支持部材６１、８１の端部より延設部６６、７６、８６の延設方向において、固定側部材５の反対側に配設されている。また、金属板７０は、コイル接続用端子７２を金型によって挟持した状態でインサート成形を行う。
【００３３】
（本形態の主な効果）
以上説明したように、本形態の光ヘッド装置１では、延設部６６、７６、８６の各先端側は、埋入位置からレンズホルダ２内に埋入し、レンズホルダ２内に埋設された埋設部６３、７３、８３を介してレンズホルダ２外にコイル接続用端子６２、７２、８２として突出形成されている。さらに、このコイル接続用端子６２、７２、８２はそれぞれ、延設部６６、７６、８６の延設方向に離間して配設されているので、レンズホルダ２を小型、薄型化しても、コイル６ａ、７ａ、８ａをそれぞれコイル接続用端子６２、７２、８２に絡げる際、他の端子に誤って接触し断線したり、ハンダ付け作業の際、他の端子に誤って接触しハンダが付着してショートすることを防止するだけの距離を延設部６６、７６、８６の延設方向へ確保することができる。そのため、コイル接続用端子６２、７２、８２へコイル給電部６ａ、７ａ、８ａを確実に接続することができる。
【００３４】
また、本形態では、コイル接続用端子６２、７２、８２は、延設部６６、７６、８６の各先端側がレンズホルダ２内に埋入し、レンズホルダ２内に埋設された埋設部６３、７３、８３を介して埋入位置とは異なる位置からレンズホルダ２外に突出した突出部に形成されているので、コイル接続用端子６２、７２、８２と延設部６６、７６、８６とが埋設部６３、７３、８３によって隔絶されるので、コイル接続用端子６２、７２、８２へコイル給電部６ａ、７ａ、８ａを絡げられる際の引っ張り力がかかっても埋設部６３、７３、８３によって緩衝される。故に、コイル接続用端子６２、７２、８２の応力が延設部６６、７６、８６側へは一切影響しないため、レンズホルダ２を適正に駆動させることができる。
【００３５】
さらに、本形態において、延設部６６、７６、８６の各先端側のレンズホルダ２に対する埋入位置がフォーカシング方向に重合して配設されるとともに、延設部６６、７６、８６の各基端側の固定側部材への埋入位置もフォーカシング方向に略重合して配設されている。そのため、延設部６６、７６、８６の長さが等しく構成されているので、延設部６６、７６、８６の長さが異なることによる期待しない挙動が発生せず、レンズホルダ２を適正に駆動させることができる。さらに、延設部６６、７６、８６のバネ定数を一致させることも容易になるので、バネ定数を一致させることによりレンズホルダ２をさらに安定させて駆動することができる。
【００３６】
さらにまた、本形態において、コイル接続用端子７２およびコイル接続用端子８２は、それぞれの埋入位置に対して、延設部６６、７６、８６の延設方向における固定側部材５の反対側に配設されているので、コイル給電部７ａ、８ａをそれぞれコイル接続用端子７２、８２に絡げる際、図示しない巻線機のノズル先端が誤って延設部６６、７６、８６に接触したり、ハンダ付け作業の際、ハンダごてが誤って延設部６６、７６、８６に接触したりすることがないので、コイルの断線、延設部６６、７６、８６のショート、または延設部６６、７６、８６の変形等を確実に防止することができる。
【００３７】
また、本形態では、金属板７０に形成されたコイル接続用端子７２は、図１（ｂ）に示すように、金属板６０、８０に形成された弾性支持部材６１、８１の端部より延設部６６、７６、８６の延設方向において、固定側部材５の反対側に配設されているので、インサート成形する際に、金型によって挟持されるコイル接続用端子７２の上下に延設部６６、８６が配設されていないので、コイル接続用端子７２を無理なく金型により支持することができる。しかも面積の大きいコイル接続用端子７２を金型によって支持することができるので、金属板７０を金型により確実に支持することができる。
【００３８】
（その他の実施の形態）
【００３９】
上記形態では、コイル接続用端子７２を、コイル接続用端子８２より前記延設部６６、７６、８６の延設方向において、固定側部材５の反対側に配設したが、コイル接続用端子８２を、コイル接続用端子７２より延設部６６、７６、８６の延設方向において、固定側部材５の反対側に配設してもよい。
【００４０】
また、上記形態では、フォーカシング駆動用、トラッキング駆動用、チルト駆動用の３本の弾性支持部材６１、７１、８１を備えた光ヘッド装置に本発明を適用したが、弾性支持部材が２本の光ヘッド装置に本発明を適用してもよい。
【図面の簡単な説明】
【００４１】
【図１】（ａ）、（ｂ）は、本発明を適用した光ヘッド装置の平面図、および右側面図である。
【図２】（ａ）、（ｂ）は、本発明を適用した光ヘッド装置を斜め上方からみた斜視図、および斜め下方からみた斜視図である。
【図３】本発明を適用した光ヘッド装置のレンズホルダに形成したコイル係合用突起の説明図である。
【図４】（ａ）、（ｂ）、（ｃ）は、本形態の光ヘッド装置の製造方法においてインサート成形する前の金属板を構成を示す平面図である。
【符号の説明】
【００４２】
１  光ヘッド装置
２  レンズホルダ
５  固定側部材
６  チルト駆動用のコイル
７  フォーカシング駆動用のコイル
８  トラッキング駆動用のコイル
１６  チルト駆動用のマグネット
１７  フォーカシング駆動用のマグネット
１８  トラッキング駆動用のマグネット
６０、７０、８０  金属板
６１、７１、８１  弾性支持部材
６２、７２、８２  コイル接続端子（端子）
６３、７３、８３  埋設部
６ａ、７ａ、８ａ  コイル給電部
６６、７６、８６  延設部
【図１】
2006209921.tif 000003
【図２】
2006209921.tif 000004
【図３】
2006209921.tif 000005
【図４】
2006209921.tif 000006